(57)【特許請求の範囲】
【請求項１】
被作業物を支持するための支持部;
前記被作業物に付着するフィルムが備えられているフィルム転写シート;
前記フィルム転写シートの一端を固定しながら、前記フィルム転写シートの張力を調節する第1張力調節部;
前記フィルム転写シートの他端を固定しながら、前記フィルム転写シートの張力を調節する第2張力調節部;
前記フィルム転写シートに備えられたフィルムを前記被作業物の表面に付着するフィルム付着部;
前記第1張力調節部に隣接して配置され、前記フィルム転写シートと前記被作業物との間の干渉を防止するための第1ガイド部；および
前記第2張力調節部に隣接して配置され、前記フィルム転写シートと前記被作業物との間の干渉を防止するための第2ガイド部を含み、
前記第1張力調節部は、前記フィルム転写シートの張力を維持するために移動可能に設けられた第1張力維持装置を含み、前記第2張力調節部は、前記フィルム転写シートの張力を維持するために移動可能に設けられた第2張力維持装置を含み、前記第1張力維持装置と前記第2張力維持装置は、個別に駆動可能に設置されるフィルム貼付装置。
【請求項２】
前記第1ガイド部が、前記フィルム転写シートの高さを調節するために移動可能に設けられた第1ガイドローラーを含み、前記第2ガイド部は、前記フィルム転写シートの高さを調節するために移動可能に設けられた第2ガイドローラーを含み、
前記第1ガイドローラー及び前記第2ガイドローラーは、前記フィルム転写シートを昇降させることができるように上下方向に移動可能に設けられるとともに、前記フィルム転写シートの上昇位置を決定することができるように左右側方向に移動可能に設置される請求項１に記載のフィルム貼付装置。
【請求項３】
前記第1ガイドローラーが、前記フィルム転写シートの下に位置して、前記フィルム転写シートを上側に加圧する第1下側ガイドローラー及び前記フィルム転写シートの上に位置して、前記フィルム転写シートを下側に加圧する第1上側ガイドローラーのうち少なくとも一つを備え、
前記第2ガイドローラーは、前記フィルム転写シートの下に位置して、前記フィルム転写シートを上側に加圧する第2下側ガイドローラー及び前記フィルム転写シートの上に位置して、前記フィルム転写シートを下側に加圧する第2上側ガイドローラーのうち少なくとも一つを備える請求項２に記載のフィルム貼付装置。
【請求項４】
前記第1ガイドローラーが、前記フィルム転写シートを間に置いて互いに対向するように配置された前記第1下側ガイドローラー及び前記第1上側ガイドローラーを含み、
前記第2ガイドローラーは、前記フィルム転写シートを間に置いて互いに対向するように配置された前記第2下側ガイドローラーと前記第2上側ガイドローラーを含む請求項３に記載のフィルム貼付装置。
【請求項５】
前記支持部が、前記被作業物を固定するステージと、前記ステージを傾斜するように駆動することができるチルト機構を含む請求項１に記載のフィルム貼付装置。
【請求項６】
前記支持部が、前記ステージを移動させるためのステージ移動機構をさらに含み、前記チルト機構は、前記ステージと前記ステージの移動機構との間に連結される請求項５に記載のフィルム貼付装置。
【請求項７】
前記チルト機構は、前記ステージ移動機構に連結され、貫通ホールを備えた第1連結部、前記ステージに連結される貫通ホールを備えた第2連結部、前記第1連結部と前記第2連結部にそれぞれ備えられた貫通ホールに挿入される回転軸、及び前記回転軸を駆動する駆動部を含み、前記第1連結部は、前記回転軸と一緒に回転しないように設けられ、前記第2連結部は、前記回転軸と一緒に回転するように設置される請求項６に記載のフィルム貼付装置。
【請求項８】
前記フィルム付着部、前記第1ガイド部、及び前記第2ガイド部のうち少なくとも一つは、前記フィルム転写シートを昇降させるときに、前記フィルム転写シートに加わる圧力を調節するための圧力調節手段をさらに含む請求項１に記載のフィルム貼付装置。
【請求項９】
前記フィルム付着部、前記第1ガイド部、及び前記第2ガイド部のうち少なくとも一つは、前記フィルム転写シートを昇降させるための移動機構を含み、
前記圧力調節手段は、前記移動機構の内部に設けられた緩衝部材で構成される請求項８に記載のフィルム貼付装置。
【請求項１０】
前記フィルム付着部、前記第1ガイド部、及び前記第2ガイド部のうち少なくとも一つは、前記フィルム転写シートを昇降させるための移動機構を含み、
前記圧力調節手段は、前記移動機構と連結された緩衝部材で構成される請求項８に記載のフィルム貼付装置。
【請求項１１】
前記フィルム付着部、前記第1ガイド部、及び前記第2ガイド部は、前記第1張力調節部と前記第2張力調節部との間で移動可能に設置され、
前記第2ガイド部は、前記フィルム付着部と前記第2張力調節部との間の位置から前記フィルム付着部と前記第1張力調節部との間の位置まで移動可能に設置される請求項１に記載のフィルム貼付装置。
【請求項１２】
前記フィルム転写シートに備えられたフィルムの位置と前記被作業物の位置とを位置合わせするための位置合わせ部をさらに含む請求項１に記載のフィルム貼付装置。
【請求項１３】
フィルムが完備されており、一端と他端がそれぞれ第1張力維持装置と第2張力維持装置に固定されているフィルム転写シートを被作業物の下に位置させて、前記フィルム転写シートの下にフィルム貼付のための付着ローラーを位置させ、前記付着ローラーと、前記第1張力維持装置との間に第1ガイドローラーを位置させ、前記付着ローラーと前記第2張力維持装置との間に第2ガイドローラーを位置させる工程;
前記付着ローラーを上昇させて前記フィルム転写シートに備えられたフィルムの一端を前記被作業物の表面に付着させる工程;
前記付着ローラーを左右側方向に移動させながら、前記のフィルムを前記被作業物の表面に付着させる工程;
前記第1張力維持装置と前記第2張力維持装置のうち少なくとも一つを左右方向に移動させて前記フィルム転写シートの張力を維持する工程;および
前記第1ガイドローラーと前記第2ガイドローラーのうち少なくとも一つを左右側方向および上下方向に移動させて前記フィルム転写シートと前記被作業物との間の干渉を防止する工程を含むフィルム貼付方法。
【請求項１４】
前記第1張力維持装置と前記第2張力維持装置のうち少なくとも一つを左右側方向に移動させる工程と、前記第1ガイドローラーと前記第2ガイドローラーのうち少なくとも一つを左右方向と上下方向に移動させる工程は、前記付着ローラーを左右方向に移動させながら、前記のフィルムを前記被作業物の表面に付着させる工程中に実行する請求項１３に記載のフィルム貼付方法。
【請求項１５】
前記付着ローラーを左右方向に移動させて前記フィルムを前記被作業物の表面に付着させる工程が、前記被作業物を傾斜させた状態で実行する請求項１３に記載のフィルム貼付方法。
【発明の詳細な説明】
【技術分野】
【０００１】
本発明は、被作業物にフィルムを付着するフィルム貼付装置及びフィルム貼付方法に関するもので、より詳細にはC字型またはS字型のような多様な形態の曲面を有している被作業物にフィルムを貼り付ける装置及び方法に関するものである。
【背景技術】
【０００２】
現在までに、携帯電話、タブレットPC、およびノートブックなど、さまざまな用途の電子製品が開発された。このような電子機器は、液晶表示装置（Liquid Crystal Display Device）、有機発光表示装置（Organic Light Emitting Display Device）、およびプラズマディスプレイパネル（Plasma Display Panel）などの表示装置を用いて製造することができる。
【０００３】
このような表示装置は、一般的に、ガラスまたはプラスチック基板上に画像を表示することができる表示素子を形成して製造することになる。ここで、前記表示装置の表面には、さまざまな用途のフィルムを貼ることになる。たとえば、スクラッチを防止するための保護フィルムや外部光の反射を低減するための反射防止フィルムなど、多様な用途のフィルムを、前記表示装置の表面に付着することができる。したがって、従来は表示装置の表面、特に表示装置の前面に備えられるカバーガラス（Cover Glass）の表面にフィルムを自動的に付着するためのフィルム貼付装置が提案されたことがある。
【０００４】
最近では、より多様な用途の電子製品が開発されており、特に需要者にアピールすることができるように美感を向上させることができる多様な形状に対する要求が高まっている。それに応じて、前記カバーガラスもC字型またはS字型のような多様な形の曲面を有することができるようになった。
【０００５】
しかし、従来のフィルム貼付装置は、平らな面にフィルムを付着するために設計されたものであるため、C字型またはS字型のような多様な形の曲面にフィルムを貼るのには限界がある。したがって、多様な曲面にフィルムを貼ることができる装置及び方法の開発が求められている。
【発明の概要】
【発明が解決しようとする課題】
【０００６】
本発明は、前記従来の問題点を解決するために考案されたものであって、本発明は、多様な曲面にフィルムを貼ることができるフィルム貼付装置及びフィルム貼付方法を提供することを目的とする。
【課題を解決するための手段】
【０００７】
本発明は、前記目的を達成するために、被作業物を支持するための支持部;前記被作業物に付着するフィルムが備えられているフィルム転写シート。前記フィルム転写シートの一端を固定しながら、前記フィルム転写シートの張力を調節する第1張力調節部;前記フィルム転写シートの他端を固定しながら、前記フィルム転写シートの張力を調節する第2張力調節部;前記フィルム転写シートに備えられたフィルムを前記被作業物の表面に付着するフィルム付着部;前記第1張力調節部に隣接して配置され、前記フィルム転写シートと前記被作業物間の干渉を防止するための第1ガイド部および、前記第2張力調節部に隣接して配置され、前記フィルム転写シートと前記被作業物間の干渉を防止するための第2ガイド部を含んでなり、前記第1張力調節部は、前記フィルム転写シートの張力を維持するために移動可能に設けられた第1張力維持装置を含んでなり、前記第2張力調節部は、前記フィルム転写シートの張力を維持するために移動可能に設けられた第2張力維持装置を含んでなり、前記第1張力維持装置と前記第2張力維持装置は、個別に駆動するよう設置されているフィルム貼付装置を提供する。
【０００８】
前記第1ガイド部は、前記フィルム転写シートの高さ(高低)を調節するために移動可能に設けられた第1ガイドローラーを含んでなり、前記第2ガイド部は、前記フィルム転写シートの高さ(高低)を調節するために移動可能に設けられた第2ガイドローラーを含んでなり、前記第1ガイドローラー及び前記第2ガイドローラーは、前記フィルム転写シートを昇降させることができるように上下方向に移動可能に設けられるとともに、前記フィルム転写シートの上昇位置を決定することができるよう、左右方向に移動可能に設置することができる。
【０００９】
前記第1ガイドローラーは、前記フィルム転写シートの下に位置して、前記フィルム転写シートを上側に加圧する第1下側ガイドローラー及び前記フィルム転写シートの上に位置して、前記フィルム転写シートを下側に加圧する第1上側ガイドローラーのうち少なくとも一つを備え、前記第2ガイドローラーは、前記フィルム転写シートの下に位置して、前記フィルム転写シートを上側に加圧する第2下側ガイドローラー及び前記フィルム転写シートの上に位置して、前記フィルム転写シートを下側に加圧する第2上側ガイドローラーのうち少なくとも一つを備えることができる。
【００１０】
前記第1ガイドローラーは、前記フィルム転写シートを間に置いて互いに対向するように配置された前記第1下側ガイドローラー及び前記第1上側ガイドローラーを含んでなり、前記第2ガイドローラーは、前記フィルム転写シートを間に置いて互いに対向するように配置された前記第2下側ガイドローラーと前記第2上側ガイドローラーを含んでなることができる。
【００１１】
前記支持部は、前記被作業物を固定するステージおよび、前記ステージを傾斜するように駆動することができるチルト機構を含んでなることができる。この前記支持部は、前記ステージを移動させるためのステージ移動機構をさらに含み、前記チルト機構は、前記ステージと前記ステージ移動機構との間に連結することができる。
【００１２】
前記チルト機構は、前記ステージ移動機構に連結され、貫通ホールを備えた第1連結部、前記ステージに連結されている貫通ホールを備えた第2連結部、前記第1連結部と前記第2連結部にそれぞれ備えられた貫通ホールに挿入される回転軸、及び前記回転軸を駆動する駆動部を含んでなり、前記第1連結部は、前記回転軸と一緒に回転しないように具備され、前記第2連結部は、前記回転軸と一緒に回転するように備えられる。
【００１３】
前記フィルム付着部、前記第1ガイド部、及び前記第2ガイド部のうち少なくとも一つは、前記フィルム転写シートを昇降させるときに、前記フィルム転写シートに加わる圧力を調節するための圧力調節手段をさらに含むことができる。
【００１４】
前記フィルム付着部、前記第1ガイド部、及び前記第2ガイド部のうち少なくとも一つは、前記フィルム転写シートを昇降させるための移動機構を含んでなり、前記圧力調節手段は、前記移動機構の内部に設けられた緩衝部材からなることができる。
【００１５】
前記フィルム付着部、前記第1ガイド部、及び前記第2ガイド部のうち少なくとも一つは、前記フィルム転写シートを昇降させるための移動機構を含んでなり、前記圧力調節手段は、前記移動機構と連結された緩衝部材からなることができる。
【００１６】
前記フィルム付着部、前記第1ガイド部、及び前記第2ガイド部は、前記第1張力調節部と前記第2張力調節部との間で移動可能に設置され、前記第2ガイド部は、前記フィルム貼付部と前記第2張力調節部との間の位置から、前記フィルム付着部と前記第1張力調節部との間の位置まで移動可能に設置することができる。
【００１７】
前記フィルム転写シートに備えられたフィルムの位置と前記被作業物の位置を位置合わせするための位置合わせ部をさらに含んでなることができる。
【００１８】
本発明は、また、フィルムが備えられていて、一端と他端がそれぞれ第1張力維持装置と第2張力維持装置に固定されているフィルム転写シートを被作業物の下に位置させて、前記フィルム転写シートの下にフィルム付着のための付着ローラーを位置させ、前記付着ローラーと、前記第1張力維持装置との間に第1ガイドローラーを位置させ、前記付着ローラーと前記第2張力維持装置との間に第2ガイドローラーを位置させる工程;前記付着ローラーを上昇させて前記フィルム転写シートに備えられたフィルムの一端を前記被作業物の表面に付着させる工程;前記付着ローラーを左右方向に移動させながら、前記のフィルムを前記被作業物の表面に付着させる工程;前記第1張力維持装置と前記第2張力維持装置のうち少なくとも一つを左右方向に移動させて前記フィルム転写シートの張力を維持する工程;前記第1ガイドローラーと前記第2ガイドローラーのうち少なくとも一つを左右方向および上下方向に移動させて前記フィルム転写シートと前記被作業物との間の干渉を防止する工程を含むフィルム貼付方法を提供する。
【００１９】
前記第1張力維持装置と前記第2張力維持装置のうち少なくとも一つを左右方向に移動させる工程および、前記第1ガイドローラーと前記第2ガイドローラーのうち少なくとも一つを左右方向および上下方向に移動させる工程は、前記付着ローラーを左右方向に移動させながら、前記のフィルムを前記被作業物の表面に付着させる工程中に行うことができる。
【００２０】
前記付着ローラーを左右方向に移動させて前記フィルムを前記被作業物の表面に付着させる工程は、前記被作業物を傾斜させた状態で行うことができる。
【発明の効果】
【００２１】
以上のような本発明によれば、次のような効果がある。
【００２２】
本発明の一実施態様によれば、フィルム貼付部の両側に第1張力調節部と第2張力調節部を設けることによって、前記フィルム付着部が被作業物にフィルムを付着する過程で、フィルム転写シートが被作業物の曲面に円滑に対応することができ、したがって、C字型またはS字型のような多様な形態の曲面を有している被作業物にフィルムを容易に付着することができる。
【００２３】
本発明の一実施態様によれば、フィルム貼付部の両側に第1ガイド部と第2ガイド部を設けることにより、フィルム転写シートと被作業物との間に干渉が起こらなくなり付着されたフィルムにしわが生じたり、または付着されたフィルムと被作業物との間に気泡が発生する問題を回避することができる。
【図面の簡単な説明】
【００２４】
【図１】本発明の一実施態様に係るフィルム貼付装置の概略図である。
【図２】本発明の一実施態様に係るチルト機構を示したものである。
【図３】図3a及び図3bは、本発明の一実施態様に係るチルト機構の動作を示した図である。
【図４】本発明の一実施態様に係るフィルム貼付部の概略的な斜視図である。
【図５】本発明の他の実施態様に係るフィルム貼付部の概略的な斜視図である。
【図６】図6a〜図6eは、本発明の一実施態様によるフィルム貼付方法を示した工程図である。
【図７】図7a〜図7fは、本発明の他の実施態様によるフィルム貼付方法を示した工程図である。
【図８】図8a〜図8eは、本発明のまた他の実施態様によるフィルム貼付方法を示した工程図である。
【発明を実施するための形態】
【００２５】
本発明の利点および特徴、そしてそれらを達成する方法は、添付の図とともに詳細に後述されている実施態様を参照すると明確になるであろう。しかし、本発明は、以下で開示される実施態様に限定されるものではなく、異なる多様な形態で具現され得、単に本実施態様は、本発明の開示が完全になるように、本発明が属する技術分野で通常の知識を有する者に発明の範疇を完全に知らせるために提供されるものであり、本発明は、請求項の範疇によって定義されるのみである。
【００２６】
本発明の実施態様を説明するために図に開示された形状、大きさ、比率、角度、数などは例示的なものなので、本発明は、図示された事項に限定されるものではない。明細書全体にわたって同一参照符号は同一の構成要素を指す。また、本発明を説明するに当たって、関連する公知技術に対する詳細な説明が本発明の要旨を不必要に曖昧にすると判断される場合は、その詳細な説明は省略する。本明細書で言及した「含む」、「有する」、「なされる」などが使用されている場合は、「〜のみ」が使用されていない限り、他の部分が追加され得る。構成要素を単数で表現した場合に特に明示的な記載事項がない限り、複数を含む場合を含む。
【００２７】
構成要素を解釈するに当たり、別途の明示的な記載がなくても誤差の範囲を含むものと解釈する。
【００２８】
位置関係の説明である場合、例えば、「〜上に」、「〜上部に」、「〜下部に」、「〜隣に」など、2つの部分の位置関係が説明されている場合、「すぐ」または「直接」が使用されていない限り、二つの部分の間に1つ以上の他の部分が位置することもできる。
【００２９】
時間の関係に対する説明である場合、例えば、「〜後に」、「〜に続いて」、「〜次に」、「〜前に」などで時間的前後関係が説明されている場合、「すぐ」または「直接」が使用されていない以上、連続的でない場合も含むことができる。
【００３０】
第1、第2などが、多様な構成要素を記述するために使用されるが、これらの構成要素は、これらの用語によって制限されない。これらの用語は、単に一つの構成要素を他の構成要素と区別するために使用されるものである。したがって、以下で言及される第1構成要素は、本発明の技術的思想内で第2構成要素であることもあり得る。
【００３１】
本発明のいくつかの実施態様のそれぞれの特徴が部分的または全体的に互いに結合または組み合わせが可能で、技術的に多様な連動および駆動が可能であり、各実施態様は、互いに独立して実施可能であり得、関連してともに実施することも可能である。
【００３２】
以下、図を参照して本発明の好ましい実施態様に対して詳細に説明することにする。
【００３３】
図1は、本発明の一実施態様に係るフィルム貼付装置の概略図である。
【００３４】
図1から分かるように、本発明の一実施態様に係るフィルム貼付装置は、支持部１００、張力調節部２００、３００、フィルム付着部４００、ガイド（Guide）部５００、６００、位置合わせ（Align）部７００、およびフィルム転写シート８００を含んでなる。
【００３５】
前記支持部１００は、フィルム貼付装置の上側に位置し、被作業物（P）を支持する役割をする。前記支持部１００は、ステージ１１０、ステージ移動機構１２０、およびチルト（tilt）機構１３０を含んでなる。
【００３６】
前記ステージ１１０は、被作業物（P）が安着して固定されるところである。したがって、前記ステージ１１０は、前記被作業物（P）を固定するための固定手段を備えている。例として、前記ステージ１１０は、真空吸着手段を備えており、その下面に安着される前記被作業物（P）を固定することができるが、必ずしも真空吸着手段に限らず、クランプなどの当業界において公知の多様な固定手段を備えることができる。
【００３７】
前記ステージ移動機構１２０は、前記ステージ１１０を移動する役割をする。前記ステージ１１０は、前記被作業物（P）のローディング位置で前記被作業物（P）を固定し、その後、フィルムを付着する位置まで移動しなければならない。したがって、前記ステージ移動機構１２０は、前記ステージ１１０を左右方向（X軸方向）と上下方向（Z軸方向）に移動するように備えることができる。このようなステージ移動機構１２０は、モータによって駆動するシリンダー装置で行うことができるが、必ずしもそれに限定されるものではなく、当業界において公知の多様な移動機構からなることができる。
【００３８】
前記チルト機構１３０は、前記ステージ１１０を傾斜（tilt）するように駆動する役割をする。フィルム（F）が付着されている前記被作業物（P）の表面がC字型またはS字型のような多様な形態に変更される場合、前記被作業物（P）が傾斜した状態で、前記被作業物（P）の表面にフィルム（F）を付着することが容易な場合がある。したがって、前記チルト機構１３０は、前記ステージ１１０を傾斜するように駆動することにより、前記ステージ１１０に固定される被作業物（P）が傾斜するようにする。
【００３９】
このようなチルト機構１３０は、前記ステージ１１０と、前記ステージ移動機構１２０との間に設けられ得るが、これに対しては後述することにする。
【００４０】
前記張力調節部２００、３００は、前記フィルム転写シート８００の張力を一定に維持する役割をする。このような張力調節部２００、３００は、第1張力調節部２００及び第2張力調節部３００を含んでなる。
【００４１】
前記第1張力調節部２００は、前記フィルム付着部４００の一側、例えば左側に配置され、前記フィルム転写シート８００の一端を固定する。前記第2張力調節部３００は、前記フィルム付着部４００の他側、例えば、右側に配置され、前記フィルム転写シート８００の他端を固定する。
【００４２】
前記第1張力調節部２００及び前記第2張力調節部３００のそれぞれが、前記フィルム付着部４００の一側と他側に配置されることにより、前記フィルム付着部４００によって前記フィルム転写シート８００上のフィルム（F）を被作業物（P）に付着する工程中に、前記フィルム付着部４００の一側に位置する前記フィルム転写シート８００の部分と、前記フィルム付着部４００の他側に位置する前記フィルム転写シート８００の部分との間の張力を一定に維持することができる。このように、本発明の一実施態様によれば、前記フィルム付着部４００の両側に前記第1張力調節部２００と前記第2張力調節部３００が設置されることにより、前記フィルム付着部４００が前記被作業物（P）にフィルム（F）を付着する過程で、前記フィルム転写シート８００が被作業物（P）の曲面に円滑に対応することができる。
【００４３】
前記第1張力調節部２００は、第1張力維持装置２１０および第1張力維持装置移動機構２２０を含んでなる。
【００４４】
前記第1張力維持装置２１０は、前記フィルム転写シート８００の一端を固定している。前記第1張力維持装置２１０と、前記フィルム転写シート８００の一端との間の固定方式は、当業界において公知の多様な方法で変更することができる。例として、前記フィルム転写シート８００の一端に少なくとも一つのホールを形成し、前記第1張力維持装置２１０に前記少なくとも一つのホールに挿入される突起を形成することもでき、前記第1張力維持装置２１０が、前記フィルム転写シート８００の一端を巻いている巻取りローラーを含んでなすこともできる。
【００４５】
前記第1張力維持装置移動機構２２０は、前記第1張力維持装置２１０を移動する。詳細には、前記第1張力維持装置移動機構２２０は、前記第1張力維持装置２１０を左右方向（x軸方向）に移動する。前記第1張力維持装置移動機構２２０は、モータによって駆動するシリンダー装置でなすことができるが、必ずしもそれに限定されるものではなく、当業界において公知の多様な移動機構からなることができる。
【００４６】
このように、第1張力維持装置移動機構２２０によって前記第1張力維持装置２１０が左右方向に移動することができ、それに応じて前記第1張力維持装置２１０と、前記フィルム付着部４００の間に位置する前記フィルム転写シート８００部分の張力が調整され得る。
【００４７】
前記第2張力調節部３００は、第2張力維持装置３１０及び第2張力維持装置移動機構３２０を含んでなる。
【００４８】
前記第2張力維持装置３１０は、前記フィルム転写シート８００の他端を固定している。前記第2張力維持装置３１０と、前記フィルム転写シート８００の他端との間の固定方式は、前述した前記第1張力維持装置２１０と、前記フィルム転写シート８００の一端との間の固定方式と同様に、当業界において公知の多様な方法に変更することができる。
【００４９】
前記第2張力維持装置移動機構３２０は、前記第2張力維持装置３１０を左右方向（x軸方向）に移動する。前記第2張力維持装置移動機構３２０は、前記第1張力維持装置移動機構２２０と同様に、当業界において公知の多様な移動機構からなることができる。このように、前記第2張力維持装置移動機構３２０と、前記第1張力維持装置移動機構２２０は、別個に構成され、前記第2張力維持装置３１０と、前記第1張力維持装置２１０は、個別に駆動することができる。
【００５０】
このように、第2張力維持装置移動機構３２０によって前記第2張力維持装置３１０が左右方向に移動することができ、それに応じて前記第2張力を維持装置３１０と、前記フィルム付着部４００の間に位置する前記フィルム転写シート８００部分の張力が調整され得る。
【００５１】
前記フィルム付着部４００は、前記フィルム転写シート８００上に位置するフィルム（F）を被作業物（P）の表面に転写させて前記被作業物（P）の表面にフィルム（F）を付着する役割をする。このようなフィルム付着部４００は、前記フィルム転写シート８００を中心に前記被作業物（P）と対向する位置に配置される。図に示したように、前記被作業物（P）が、前記フィルム転写シート８００の上部に配置された場合、前記フィルム付着部４００は、前記フィルム転写シート８００の下部に配置される。
【００５２】
前記フィルム付着部４００は、付着ローラー４１０、付着ローラー支持機構４２０、および付着ローラー移動機構４３０を含んでなる。
【００５３】
前記付着ローラー４１０は、前記フィルム（F）の一端から他端まで対応する前記フィルム転写シート８００の領域を移動しながら、前記フィルム転写シート８００の下面を加圧して前記フィルム（F）を被作業物（P）の表面に付着する。したがって、前記付着ローラー４１０は、前記フィルム転写シート８００の領域を移動するために、左右方向（x軸方向）に移動するように設けられる。また、前記付着ローラー４１０は、前記フィルム転写シート８００上のフィルム（F）が被作業物（P）の表面と接することができるように、前記フィルム転写シート８００の下面を上昇させ、そのために前記付着ローラー４１０は、上下方向（z軸方向）に移動するように設けられる。
【００５４】
前記付着ローラー支持機構４２０は、前記付着ローラー４１０に連結され、前記付着ローラー４１０を支持する。
【００５５】
前記付着ローラー移動機構４３０は、前記付着ローラー支持機構４２０と連結され、前記付着ローラー支持機構４２０を上下方向（z軸方向）および左右方向（x軸方向）に移動させ、それに応じて前記付着ローラー４１０が上下方向（z軸方向）および左右方向（x軸方向）に移動しながら、前記フィルム（F）の付着工程を行うことができるようになる。
【００５６】
一方、前記付着ローラー４１０が、前記フィルム転写シート８００の下面を加圧したときに、その加圧力が大きすぎる場合、前記被作業物（P）の表面が損傷する可能性がある。したがって、前記被作業物（P）の表面が損傷するのを防止するために、前記フィルム付着部４００は、前記付着ローラー４１０の加圧力を調節するための圧力調節手段をさらに含むことができる。このような圧力調節手段については後述することにする。
【００５７】
前記ガイド部５００、６００は、前記フィルム転写シート８００をガイドする。特に、前記ガイド部５００、６００は、前記フィルム転写シート８００の高さと同じ位置をガイドすることにより、前記フィルム（F）を付着する工程中に、前記フィルム転写シート８００と前記被作業物（P）間に干渉が起こらないようにする。本明細書において2つの構成間の「干渉」とは、一の構成が他の構成と接触することで、前記一の構成の移動が、前記他の構成によって妨害を受ける場合をいう。
【００５８】
前記フィルム（F）を付着する工程中に、前記フィルム転写シート８００と前記被作業物（P）間に干渉が起こると、前記フィルム（F）が前記被作業物（P）の表面に精密に付着されないで、前記フィルム（F）にシワが生じたり、または、前記フィルム（F）と前記被作業物（P）間に気泡が発生し得る。しかし、本発明の一実施態様によれば、前記フィルム付着部４００の両側に前記ガイド部５００、６００が設置されることにより、前記フィルム転写シート８００と前記被作業物（P）間に干渉が起こらなくなり、前記フィルム（F）にシワが生じたり、または、前記フィルム（F）と前記被作業物（P）間に気泡が発生する問題を回避することができる。
【００５９】
このようなガイド部５００、６００は、第1ガイド部５００及び第2ガイド部６００を含んでなる。
【００６０】
前記第1ガイド部５００は、前記第1張力調節部２００に隣接して配置され、前記フィルム付着部４００の一側、例えば左側に位置する前記フィルム転写シート８００部分の位置をガイドする。このような第1ガイド部５００は、フィルム貼付工程が開始される前に、前記第1張力調節部２００と、前記フィルム付着部４００の間に位置する。
【００６１】
前記第2ガイド部６００は、前記第2張力調節部３００に隣接して配置され、前記フィルム付着部４００の他側、例えば右側に位置する前記フィルム転写シート８００部分の位置をガイドする。このような第2ガイド部６００は、フィルム貼付工程が開始される前に、前記第2張力調節部３００と、前記フィルム付着部４００の間に位置する。
【００６２】
前記第1ガイド部５００は、第1下側ガイドローラー５１０、第1上側ガイドローラー５２０、第1ガイドローラー支持機構５３０、及び第1ガイドローラー移動機構５４０を含んでなる。
【００６３】
前記第1下側ガイドローラー５１０は、前記フィルム転写シート８００の下側に位置して、前記フィルム転写シート８００の下面を加圧する。特に、前記第1下側ガイドローラー５１０が移動しながら前記第1下側ガイドローラー５１０と接する前記フィルム転写シート８００の部分が上昇して、前記フィルム転写シート８００と前記被作業物（P）間の干渉が防止され得るが、これについては後述するフィルム貼付工程を参照すると容易に理解できるだろう。
【００６４】
前記第1上側ガイドローラー５２０は、前記フィルム転写シート８００の上側に位置して、前記フィルム転写シート８００の上面を加圧する。特に、前記第1上側ガイドローラー５２０が移動しながら前記第1上側ガイドローラー５２０と接する前記フィルム転写シート８００の部分が下降して、前記フィルム転写シート８００と前記被作業物（P）間の干渉が防止され得るが、これについては後述するフィルム貼付工程を参照すると容易に理解できるだろう。
【００６５】
図に示したように、前記第1下側ガイドローラー５１０と、前記第1上側ガイドローラー５２０が、前記フィルム転写シート８００を間に置いて互いに対向するように設置されて一緒に動くことができ、この場合には、それぞれを個別に駆動する場合に比べて装置構成を簡素にすることができる。ただし、必ずしもそれに限定されるものではなく、前記第1下側ガイドローラー５１０と、前記第1上側ガイドローラー５２０が互いに個別に動くように備えることもできる。
【００６６】
前記第1ガイドローラー支持機構５３０は、前記第1下側ガイドローラー５１０と、前記第1上側ガイドローラー５２０に連結され、前記第1下側ガイドローラー５１０と、前記第1上側ガイドローラー５２０を支持する。一つの第1ガイドローラー支持機構５３０が、前記第1下側ガイドローラー５１０と、前記第1上側ガイドローラー５２０を一緒に支持することもできるが、一つの第1ガイドローラー支持機構５３０が前記第1下側ガイドローラー５１０を支持し、もう一つの第1ガイドローラー支持機構５３０が前記第1上側ガイドローラー５２０を支持することもできる。
【００６７】
前記第1ガイドローラー移動機構５４０は、前記第1ガイドローラー支持機構５３０と連結されて、前記第1ガイドローラー支持機構５３０を上下方向（z軸方向）および左右方向（x軸方向）に移動させる。したがって、前記第1下側ガイドローラー５１０と、前記第1上側ガイドローラー５２０が上下方向（z軸方向）に移動しながら、前記フィルム転写シート８００の高さが調節され得、また、前記第1下側ガイドローラー５１０と、前記第1上側ガイドローラー５２０が左右方向（x軸方向）に移動しながら、前記フィルム転写シート８００の高さ調節位置が決定され得る。
【００６８】
前記第1下側ガイドローラー５１０と、前記第1上側ガイドローラー５２０が、前記フィルム転写シート８００を加圧したときに、その加圧力が大きすぎる場合、前記フィルム転写シート８００の張力が大きく変化する可能性がある。したがって、これを防止するために、前記第1ガイド部５００は、前記フィルム付着部４００と同様に、圧力調節手段をさらに含むことができる。
【００６９】
前記第2ガイド部６００は、第2下側ガイドローラー６１０、第2上側ガイドローラー６２０、第2ガイドローラー支持機構６３０、及び第2ガイドローラー移動機構６４０を含んでなる。
【００７０】
前記第2下側ガイドローラー６１０は、前記フィルム転写シート８００の下側に位置して、前記フィルム転写シート８００の下面を加圧する。前述した前記第1下側ガイドローラー５１０と同様に、前記第2下側ガイドローラー６１０が移動しながら前記第1下側ガイドローラー５１０と接する前記フィルム転写シート８００の部分が上昇して、前記フィルム転写シート８００と前記被作業物（P）間の干渉を防止することができる。
【００７１】
前記第2上側ガイドローラー６２０は、前記フィルム転写シート８００の上側に位置して、前記フィルム転写シート８００の上面を加圧する。前述した前記第1上側ガイドローラー５２０と同様に、前記第2上側ガイドローラー６２０が移動しながら前記第1上側ガイドローラー５２０と接する前記フィルム転写シート８００の部分が下降して前記フィルム転写シート８００と前記被作業物（P）間の干渉を防止することができる。
【００７２】
前記第2下側ガイドローラー６１０と前記第2上側ガイドローラー６２０は、前記フィルム転写シート８００を間に置いて互いに対向するように設置されて一緒に動くことができ、前記第2下側ガイドローラー６１０と前記第2上側ガイドローラー６２０が互いに個別に動くように備えることもできる。
【００７３】
前記第2ガイドローラー支持機構６３０は、前記第2下側ガイドローラー６１０と前記第2上側ガイドローラー６２０に連結され、前記第2下側ガイドローラー６１０と前記第2上側ガイドローラー６２０を支持する。前述した第1ガイドローラー支持機構５３０と同様に、一つの第2ガイドローラー支持機構６３０が、前記第2下側ガイドローラー６１０と前記第2上側ガイドローラー６２０を一緒に支持することができるが、一つの第2ガイドローラー支持機構６３０が前記第2下側ガイドローラー６１０を支持し、もう一つの第2ガイドローラー支持機構６３０が前記第2上側ガイドローラー６２０を支持することもできる。
【００７４】
前記第2ガイドローラー移動機構６４０は、前記第2ガイドローラー支持機構６３０と連結されて前記第2ガイドローラー支持機構６３０を上下方向（z軸方向）および左右方向（x軸方向）に移動させ、それに応じて前記第2下側ガイドローラー６１０と前記第2上側ガイドローラー６２０が上下方向（z軸方向）および左右方向（x軸方向）に移動しながら、適切な位置で前記フィルム転写シート８００の高さを調節することができる。
【００７５】
前記第2下側ガイドローラー６１０と前記第2上側ガイドローラー６２０が、前記フィルム転写シート８００を加圧したときに、その加圧力が大きすぎる場合、前記フィルム転写シート８００の張力が大きく変化する可能性がある。したがって、これを防止するために、前記第2ガイド部６００は、前記フィルム付着部４００と同様に、圧力調節手段をさらに含むことができる。
【００７６】
前記位置合わせ部７００は、前記フィルム転写シート８００上のフィルム（F）の位置と前記フィルム（F）が付着される被作業物（P）の位置を調整する役割をする。そのため、前記位置合わせ部７００は、前記フィルム（F）の先端部を確認して、前記フィルム（F）の先端部と前記被作業物（P）の付着面の先端部とを位置合わせするための画像装置を含むことができている。
【００７７】
前記フィルム転写シート８００は、その一面、例として上面にフィルム（F）が一時的に付着されており、それにより、フィルム（F）を運搬するキャリア（Carrier）として機能する。前記フィルム転写シート８００は、弾性シートからなり得る。
【００７８】
図2は、本発明の一実施態様に係るチルト機構を示したもので、これは前述した図1によるフィルム貼付装置を側面から見た図である。図3a及び図3bは、本発明の一実施態様に係るチルト機構の動作を示した図である。
【００７９】
図2に示したように、ステージ１１０とステージ移動機構１２０の間に設けられた本発明の一実施態様に係るチルト機構１３０は、第1連結部１３１、第2連結部１３２、回転軸１３３、および駆動部１３４を含んでなる。
【００８０】
前記第1連結部１３１は、前記ステージ移動機構１２０に連結されている。特に、前記第1連結部１３１は、前記ステージ移動機構１２０の下面から下方向に延長されている。このような第1連結部１３１は、前記ステージ移動機構１２０の下面に複数個連結することができる。前記第1連結部１３１には、前記回転軸１３３が挿入されるように、横方向に貫通する貫通ホールが備えられている。
【００８１】
前記第2連結部１３２は、前記ステージ１１０に連結されている。特に、前記第2連結部１３２は、前記ステージ１１０の上面から上方向に延長されている。このような第2連結部１３２は、前記ステージ１１０の上面に複数個連結することができる。前記第2連結部１３２には、前記回転軸１３３が挿入されるように、横方向に貫通する貫通ホールが備えられている。前記第2連結部１３２に備えられた貫通ホールは、前記第1連結部１３１に備えられた貫通ホールと一列に整列される。
【００８２】
前記回転軸１３３は、前記第2連結部１３２に備えられた貫通ホールと前記第1連結部１３１に備えられた貫通ホールに挿入される。前記回転軸１３３が回転するとき、前記第1連結部１３１は、一緒に回転しないように設置されており、前記回転軸１３３が回転するとき、前記第2連結部１３２は、一緒に回転するように備えられている。したがって、前記第1連結部１３１は、前記回転軸１３３を支持する役割をして、前記第2連結部１３２は、前記回転軸１３３の回転を前記ステージ１１０に伝達する役割をする。
【００８３】
前記駆動部１３４は、前記回転軸１３３と連結され、前記回転軸１３３を時計回りまたは反時計回りに回転させる。
【００８４】
このような本発明の一実施態様に係るチルト機構によると、前記駆動部１３４によって前記回転軸１３３が時計回りまたは反時計回りに回転すると、前記回転軸１３３と一緒に前記第2連結部１３２が回転し、それによって、前記第2連結部１３２に連結された前記ステージ１１０が時計回りまたは反時計回りに傾斜するようになる。したがって、図3a及び図3bから分かるように、ステージ１１０の下に固定された被作業物（P）がそれぞれ時計回りおよび反時計回りに傾斜するようになる。
【００８５】
図4は、本発明の一実施態様に係るフィルム貼付部４００の概略的な斜視図である。
【００８６】
図4から分かるように、本発明の一実施態様に係るフィルム貼付部４００は、付着ローラー４１０、付着ローラー支持機構４２０、および付着ローラー移動機構４３０を含んでなる。
【００８７】
前記付着ローラー４１０は、回転軸４１５に連結されていて、前記回転軸４１５は、前記付着ローラー支持機構４２０に設けられた貫通ホール内に挿入される。
【００８８】
前記付着ローラー支持機構４２０には、前記貫通ホールが設けられていて、前記貫通ホールには多数のベアリング４２５が設けられている。したがって、前記貫通ホール内に挿入された前記回転軸４１５が、前記ベアリング４２５と接しながら回転することができ、それによって前記付着ローラー４１０が、前記付着ローラー支持機構４２０に回転可能に支持され得る。
【００８９】
前記付着ローラー移動機構４３０は、上下方向（z軸方向）付着ローラー移動機構を含んでなる。
【００９０】
前記上下方向付着ローラー移動機構は、前記付ローラー支持機構４２０の下面に連結されていて、前記付着ローラー支持機構４２０を上昇下降させ、それによって、前記付着ローラー４１０が上昇下降する。前記上下方向付着ローラー移動機構は、シリンダ装置と、前記シリンダ装置を駆動するモータを含んでなり得る。
【００９１】
ここで、前記上下方向付着ローラー移動機構に含まれるシリンダ装置は、その内部にスプリングのような緩衝部材からなる圧力調節手段を備えることができる。それによって、前記上下方向付着ローラー移動機構の動作によって、前記付着ローラー４１０が上昇して前記フィルム転写シート（図1の図面符号800参照）の下面を加圧したときに、その加圧力が調整されて前記被作業物（P）の表面が損傷する問題を防止することができる。
【００９２】
前記付着ローラー移動機構４３０は、左右方向（X軸方向）付着ローラー移動機構をさらに含んでなり得る。
【００９３】
詳細には図示していませんが、前記左右方向付着ローラー移動機構は、前記上下方向付着ローラー移動機構の下に配置することができる。このような左右方向付着ローラー移動機構は、モータとLMガイドを含んでなり得る。ただし、必ずしもそれに限定されるものではなく、前記左右方向付着ローラー移動機構を、前記付着ローラー支持機構４２０の側面に連結することもできる。
【００９４】
図5は、本発明の他の実施態様によるフィルム付着部４００の概略的な斜視図であって、これは別個の圧力調節手段４３３が追加で備えたことを除いて、前述した図4によるフィルム付着部４００と同一である。したがって、同一の構成に対しては、同一の符号を付与し、以下では、相違する構成に対してのみ説明する。
【００９５】
図5から分かるように、前記圧力調節手段４３３は、付着ローラー移動機構４３０、特に、上下方向付着ローラー移動機構に連結されている。詳細には、前記圧力調節手段４３３は、前記付着ローラー支持機構４２０と、上下方向付着ローラー移動機構との間に備えられている。したがって、前記上下方向付着ローラー移動機構の動作によって、前記付着ローラー４１０が上昇して前記フィルム転写シート（図1の図面符号800参照）の下面を加圧したときに、前記圧力調節手段４３３によって加圧力が調整され、前記被作業物（P）の表面が損傷する問題を防止することができる。前記圧力調節手段４３３は、スプリングまたは流体を含む当業界において公知の多様な緩衝部材を含んでなり得る。
【００９６】
詳細には図示していませんが、前述したガイド（Guide）部（図1の図面符号500、600）も図4及び図5によるフィルム付着部４００と同様に構成することができる。
【００９７】
図6a〜図6eは、本発明の一実施態様によるフィルム付着方法を示した工程図であるC字型の表面を備えた被作業物（P）の前記C字型の表面にフィルム（F）を付着する方法に関するものである。便宜上、前述したフィルム付着装置に対する実施態様では、第1張力維持装置２１０、第2張力維持装置３１０、付着ローラー４１０、第1下側ガイドローラー５１０、第2上側ガイドローラー６２０、およびフィルム転写シート８００のみを示した。
【００９８】
まず、図6aから分かるように、被作業物（P）の下に第1張力維持装置２１０、第2張力維持装置３１０、付着ローラー４１０、第1下側ガイドローラー５１０、第2上側ガイドローラー６２０、およびフィルム転写シート８００を位置させる。
【００９９】
ここで、前記フィルム転写シート８００の一端と他端は、それぞれ、前記第1張力維持装置２１０と前記第2張力維持装置３１０に固定されている。また、前記付着ローラー４１０は、前記フィルム転写シート８００の上面に備えられたフィルム（F）の一端に対応する位置にある。ここで、前述した位置合わせ（Align）部７００を用いて前記フィルム転写シート８００上のフィルム（F）の位置を位置合わせすることができる。そして、前記第1下側ガイドローラー５１０は、前記第1張力維持装置２１０と前記付着ローラー４１０の間に位置していて、前記第2上側ガイドローラー６２０は、前記第2張力維持装置３１０と前記付着ローラー４１０の間に位置している。
【０１００】
次に、図6bから分かるように、前記付着ローラー４１０を上昇させて前記フィルム転写シート８００の上面に備えられたフィルム（F）の一端を前記被作業物（P）の表面に付着させる。
【０１０１】
ここで、前記付着ローラー４１０と前記第2張力維持装置３１０の間に位置する前記フィルム転写シート８００の第1部分８００ａと前記被作業物（P）間の干渉を防止するために、前記第2上側ガイドローラー６２０が前記第2張力を維持装置３１０から遠ざかる方向、詳細には左側方向に移動する。
【０１０２】
次に、図6cから分かるように、前記付着ローラー４１０を右側に移動させながら、前記フィルム転写シート８００の上面に備えられたフィルム（F）を前記被作業物（P）のC字型表面に付着させる。
【０１０３】
ここで、前記フィルム転写シート８００の第1部分８００ａと前記被作業物（P）間の干渉を防止するために、前記第2上側ガイドローラー６２０が前記第2張力を維持装置３１０から遠ざかる方向、詳細には左側方向に、さらに移動する。特に、前記の干渉を防止するために、前記第2上側ガイドローラー６２０が、前記付着ローラー４１０よりも左側に移動することができる。
【０１０４】
次に、図6dから分かるように、前記付着ローラー４１０を右側に、さらに移動させながら、前記フィルム転写シート８００の上面に備えられたフィルム（F）を前記被作業物（P）のC字型表面に付着させる。
【０１０５】
ここで、前記フィルム転写シート８００の第1部分８００ａと前記被作業物（P）間の干渉を防止するために、前記第2上側ガイドローラー６２０が上側方向に移動する。
【０１０６】
このように、前記第2上側ガイドローラー６２０が上側方向に移動した場合、前記フィルム転写シート８００の第1部分８００ａの張力が増加する可能性があるため、前記第2張力維持装置３１０を、前記第2上側ガイドローラー６２０と近づく方向、詳細には左側方向に移動させる。
【０１０７】
また、前記第2上側ガイドローラー６２０が上側方向に移動する場合、前記付着ローラー４１０と、前記第1張力維持装置２１０の間に位置する前記フィルム転写シート８００の第2部分８００ｂと、前記フィルム転写シート８００の第1部分８００ａ間の干渉が発生し得る。したがって、前記フィルム転写シート８００の第2部分８００ｂと、前記フィルム転写シート８００の第1部分８００ａ間の干渉を防止するために、前記第1下側ガイドローラー５１０を上側方向に移動させる。
【０１０８】
次に、図6eから分かるように、前記付着ローラー４１０を左側に移動させながら、前記フィルム転写シート８００の上面に残っているフィルム（F）を前記被作業物（P）のC字型表面に付着させて前記フィルム（F）の付着を完成する。
【０１０９】
ここで、前記付着ローラー４１０が左側に移動した場合、前記フィルム転写シート８００の第2部分８００ｂの張力が減少し得るため、前記第1張力維持装置２１０を前記第1下側ガイドローラー５１０と遠ざかる方向、詳細には左側方向に移動させる。また、ここで、前記フィルム（F）の付着工程を容易にするために、前記第2上側ガイドローラー６２０が上側方向に移動することができる。
【０１１０】
以上のように、本発明の一実施態様によれば、前記付着ローラー４１０は、上側方向、右側方向、および左側方向に移動しながら、前記フィルム転写シート８００の上面に備えられたフィルム（F）を前記被作業物（P）のC字型表面に付着させる。ここで、前記第1下側ガイドローラー５１０は、適切な時点で上側方向に移動して前記第2上側ガイドローラー６２０は、適切な時点で左側方向および上側方向に移動しながら、前述した干渉を防止する。また、前記第1張力維持装置２１０と前記第2張力維持装置３１０は、適切な時点で左側方向に移動することにより、前記フィルム転写シート８００の張力を維持させる。
【０１１１】
一方、図示していませんが、図6b〜図6eのいずれかの工程時点で、前述したチルト（tilt）機構１３０を用いて、前記被作業物（P）を傾けた状態で、工程の進行を行うことができる。
【０１１２】
図7a〜図7fは、本発明の他の実施態様によるフィルム貼付方法を示す工程図であるS字型表面を備えた被作業物（P）の前記S字型の表面にフィルム（F）を付着する方法に関するものである。便宜上、前述したフィルム貼付装置の実施態様では、第1張力維持装置２１０、第2張力維持装置３１０、付着ローラー４１０、第1上側ガイドローラー５２０、第2上側ガイドローラー６２０、およびフィルム転写シート８００のみを示した。
【０１１３】
まず、図7aから分かるように、被作業物（P）の下に第1張力維持装置２１０、第2張力維持装置３１０、付着ローラー４１０、第1上側ガイドローラー５２０ 、第2上側ガイドローラー６２０、およびフィルム転写シート８００を位置させる。
【０１１４】
ここで、前記フィルム転写シート８００の一端と他端は、それぞれ、前記第1張力維持装置２１０と前記第2張力維持装置３１０に固定されている。また、前記付着ローラー４１０は、前記フィルム転写シート８００の上面に備えられたフィルム（F）の一端に対応する位置にある。ここで、前述した位置合わせ部７００を用いて前記フィルム転写シート８００上のフィルム（F）の位置を位置合わせすることができる。そして、前記第1上側ガイドローラー５２０は、前記第1張力維持装置２１０と前記付着ローラー４１０との間に位置して、前記第2上側ガイドローラー６２０は、前記第2張力維持装置３１０と前記付着ローラー４１０との間に位置する。
【０１１５】
次に、図7bから分かるように、前記付着ローラー４１０を上昇させて前記フィルム転写シート８００の上面に備えられたフィルム（F）の一端を前記被作業物（P）の表面に付着させる。
【０１１６】
この際、前記付着ローラー４１０と前記第2張力維持装置３１０との間に位置する前記フィルム転写シート８００の第1部分８００ａと前記被作業物（P）間の干渉を防止するために前記第2上側ガイドローラー６２０が、前記第2張力を維持装置３１０から遠ざかる方向、詳細には左側方向に移動する。
【０１１７】
また、ここで、前記第1上側ガイドローラー５２０と前記第2上側ガイドローラー６２０の加圧による前記フィルム転写シート８００の張力増加を減らすために、前記第1張力維持装置２１０を前記第1上側ガイドローラー５２０に近づく方向、詳細には右側方向に移動し、前記第2張力維持装置３１０を前記第2上側ガイドローラー６２０に近づく方向、詳細には左側方向に移動することができる。
【０１１８】
次に、図7cから分かるように、前記付着ローラー４１０を右側に移動させながら、前記フィルム転写シート８００の上面に備えられたフィルム（F）を前記被作業物（P）のS字型表面に付着させる。
【０１１９】
次に、図7dから分かるように、前記付着ローラー４１０を右側に、さらに移動させながら、前記フィルム転写シート８００の上面に備えられたフィルム（F）を前記被作業物（P）のS字型表面に付着させる。
【０１２０】
この際、前記付着ローラー４１０と前記第2上側ガイドローラー６２０との間の干渉を防止するために、前記第2上側ガイドローラー６２０を右側方向に一緒に移動させる。また、この場合、前記フィルム転写シート８００の張力を維持するために、前記第2張力維持装置３１０を前記第2上側ガイドローラー６２０から遠ざかる方向、詳細には右側方向に移動する。
【０１２１】
次に、図7eから分かるように、前記付着ローラー４１０を右側に、さらに移動させながら、前記フィルム転写シート８００の上面に備えられたフィルム（F）を前記被作業物（P）のS字型表面に付着させる。
【０１２２】
この際、前記付着ローラー４１０と前記第2上側ガイドローラー６２０との間の干渉を防止するために、前記第2上側ガイドローラー６２０が右側方向に一緒に移動する。
【０１２３】
次に、図7fから分かるように、前記付着ローラー４１０を右上側に移動させながら、前記フィルム転写シート８００の上面に残っているフィルム（F）を前記被作業物（P）のS字型表面に付着させて前記フィルム（F）の付着を完成する。
【０１２４】
この際、前記付着ローラー４１０と前記第2張力維持装置３１０との間に位置する前記フィルム転写シート８００の第1部分８００ａと前記被作業物（P）間の干渉を防止するために前記第1上側ガイドローラー５２０が前記第1張力維持装置２１０から遠ざかる方向、詳細には右側方向に移動する。
【０１２５】
以上のように、本発明の他の実施態様によれば、前記付着ローラー４１０は、上側方向と右側方向に移動しながら、前記フィルム転写シート８００の上面に備えられたフィルム（F）を前記被作業物（P）のS字型表面に付着する。ここで、前記第1上側ガイドローラー５２０は、適切な時点で右側方向に移動し、前記第2上側ガイドローラー６２０は、適切な時点で左側方向および右側方向に移動しながら、前述した干渉を防止する。また、前記第1張力維持装置２１０と前記第2張力維持装置３１０は、適切な時点で左側方向または右側方向に移動することにより、前記フィルム転写シート８００の張力を維持させる。
【０１２６】
一方、図示していませんが、図7b〜図7fのいずれかの工程の時点で、前述したチルト（tilt）機構１３０を用いて、前記被作業物（P）を傾けた状態で、工程の進行を行うことができる。
【０１２７】
以上の図6a〜図6eおよび図7a〜図7fから分かるように、付着ローラー４１０が左側から右側に移動しながらフィルム（F）を付着する場合において、付着ローラー４１０の左側には、第1下側ガイドローラー５１０が必要になることもあり（図6a〜図6e）、第1上側ガイドローラー５２０が必要になる場合があり（図7a〜図7f）、付着ローラー４１０の右側には、第2上側ガイドローラー６２０だけが必要な場合もある。
【０１２８】
ただし、前記付着ローラー４１０が右から左に移動しながらフィルム（F）を付着するためには、前記付着ローラー４１０の右側には、第2下側ガイドローラー６１０が必要な場合もあり、第2上側ガイドローラー６２０が必要になることがあり、付着ローラー４１０の左側には、第1上側ガイドローラー５２０だけが必要な場合がある。
【０１２９】
したがって、前記付着ローラー４１０が左側から右側に移動する場合と右から左に移動する場合の両方に適用されるために、前述した図1のように、第1ガイド部５００が、第1下側ガイドローラー５１０と、第1上側ガイドローラー５２０を一緒に含んでなり、第2ガイド部６００が第2下側ガイドローラー６１０と第2上側ガイドローラー６２０を一緒に含むことが好ましい
【０１３０】
ただし、前記被作業物（P）の曲面形状に応じて、干渉が起こる様子も多様に変更され得、したがって、前記第1ガイド部５００と前記第2ガイド部６００の構成も多様に変更され得る。例えば、前記第1ガイド部５００は、前記第1下側ガイドローラー５１０と、前記第1上側ガイドローラー５２０の中からいずれか一つだけ備えることもでき、両者をすべて備えることもできる。また、前記第2ガイド部６００は、前記第2下側ガイドローラー６１０と前記第2上側ガイドローラー６２０の中からいずれか一つだけ備えることもでき、両者をすべて備えることもできる。
【０１３１】
図8a〜図8eは、本発明の他の実施態様によるフィルム貼付方法を示す工程図であって、これは図1によるフィルム貼付装置を用いて前述した図6a〜図6eと同じC字型の表面を備えた被作業物（P）にフィルム（F）を付着する方法に関するものである。便宜上、前述したフィルム貼付装置の実施態様では、第1張力維持装置２１０、第2張力維持装置３１０、付着ローラー４１０、第1下側/上側ガイドローラー５１０、５２０、第2下側/上側ガイドローラー６１０、６２０、およびフィルム転写シート８００のみを示した。
【０１３２】
まず、図8aから分かるように、被作業物（P）の下に第1張力維持装置２１０、第2張力維持装置３１０、付着ローラー４１０、第1下側/上側ガイドローラー５１０、５２０、第2下側/上側ガイドローラー６１０、６２０、およびフィルム転写シート８００を位置させる。
【０１３３】
ここで、前記フィルム転写シート８００の一端と他端は、それぞれ、前記第1張力維持装置２１０と前記第2張力維持装置３１０に固定されている。また、前記付着ローラー４１０は、前記フィルム転写シート８００の上面に備えられたフィルム（F）の一端に対応する位置にある。ここで、前述した位置合わせ部７００を用いて前記フィルム転写シート８００上のフィルム（F）の位置を位置合わせすることができる。そして、前記第1下側/上側ガイドローラー５１０、５２０は、前記第1張力維持装置２１０と前記付着ローラー４１０との間に位置しており、前記第2下側/上側ガイドローラー６１０、６２０前記第2張力を維持装置３１０と前記付着ローラー４１０との間に位置している。
【０１３４】
次に、図8bから分かるように、前記付着ローラー４１０を上昇させて前記フィルム転写シート８００の上面に備えられたフィルム（F）の一端を前記被作業物（P）の表面に付着させる。
【０１３５】
この際、前記付着ローラー４１０と前記第2張力維持装置３１０との間に位置する前記フィルム転写シート８００の第1部分８００ａと前記被作業物（P）間の干渉を防止するために前記第2下側/上側ガイドローラー６１０、６２０が前記第2張力を維持装置３１０から遠ざかる方向、詳細には左側方向に移動する。
【０１３６】
また、前記付着ローラー４１０が上昇するにつれて、前記付着ローラー４１０と、前記第1張力維持装置２１０との間に位置する前記フィルム転写シート８００の第2部分８００ｂの張力が増加することを防止するために、前記第1下側/上側ガイドローラー５１０、５２０が、前記付着ローラー４１０と一緒に上昇する。
【０１３７】
次に、図8cから分かるように、前記付着ローラー４１０を右側に移動させながら、前記フィルム転写シート８００の上面に備えられたフィルム（F）を前記被作業物（P）のC字型表面に付着させる。
【０１３８】
ここで、前記フィルム転写シート８００の第1部分８００ａと前記被作業物（P）間の干渉を防止するために、前記第2下側/上側ガイドローラー６１０、６２０が前記第2張力を維持装置３１０から遠ざかる方向、詳細には左側方向に、さらに移動する。特に、前記の干渉を防止するために、前記第2下側/上側ガイドローラー６１０、６２０が、前記付着ローラー４１０よりもさらに左側に移動することができる。
【０１３９】
次に、図8dから分かるように、前記付着ローラー４１０を右側に、さらに移動させながら、前記フィルム転写シート８００の上面に備えられたフィルム（F）を前記被作業物（P）のC字型表面に付着させる。
【０１４０】
ここで、前記フィルム転写シート８００の第1部分８００ａと前記被作業物（P）間の干渉を防止するために、前記第2下側/上側ガイドローラー６１０、６２０が上側方向に移動する。
【０１４１】
このように、前記第2下側/上側ガイドローラー６１０、６２０が上側方向に移動した場合、前記フィルム転写シート８００の第1部分８００ａの張力が増加する可能性があるため、前記第2張力を維持装置３１０が前記第2下側/上側ガイドローラー６１０、６２０と近づく方向、詳細には左側方向に移動する。
【０１４２】
また、前記第2下側/上側ガイドローラー６１０、６２０が上側方向に移動する場合、前記付着ローラー４１０と、前記第1張力維持装置２１０との間に位置する前記フィルム転写シート８００の第2部分８００ｂと、前記フィルム転写シート８００の第1部分８００ａとの間に干渉が発生し得る。したがって、前記フィルム転写シート８００の第2部分８００ｂと、前記フィルム転写シート８００の第1部分８００ａとの間に干渉を防止するために、前記第1下側/上側ガイドローラー５１０、５２０を上側方向に移動させる。
【０１４３】
次に、図8eから分かるように、前記付着ローラー４１０を左に移動させながら、前記フィルム転写シート８００の上面に残っているフィルム（F）を前記被作業物（P）のC字型表面に付着させて前記フィルム（F）の付着を完成する。
【０１４４】
この際、前記付着ローラー４１０が左側に移動した場合、前記フィルム転写シート８００の第2部分８００ｂの張力が減少する可能性があるため、前記第1張力維持装置２１０を前記第1下側/上側ガイドローラー５１０、５２０と遠ざかる方向、詳細には左側方向に移動させる。
【０１４５】
前述した実施態様と同様に、図8b〜図8eのいずれかの工程の時点で、前述したチルト（tilt）機構１３０を用いて、前記被作業物（P）を傾けた状態で、工程の進行を行うことができる。
【０１４６】
以上、添付された図面を参照して、本発明の実施態様をより詳細に説明したが、本発明は、必ずしもこれらの実施態様に限定されるものではなく、本発明の技術思想を逸脱しない範囲内で多様に変形実施することができる。したがって、本発明の開示された実施態様は、本発明の技術思想を限定するためのものではなく説明するためのものであり、これらの実施態様により、本発明の技術思想の範囲が限定されるものではない。したがって、以上で記述した実施態様は、すべての面で例示的なものであり限定的ではないと理解しなければならない。本発明の保護範囲は、特許請求の範囲によって解釈されなければならず、その同等の範囲内にあるすべての技術思想は、本発明の権利範囲に含まれるものと解釈されなければならない。
【符号の説明】
【０１４７】
１００：支持部
２００、３００：第１、第２張力調節部
４００：フィルム付着部
５００、６００：第１、第２ガイド部
７００：位置合わせ部
８００：フィルム転写シート
【図１】
0006346968.tif 000002
【図２】
0006346968.tif 000003
【図３Ａ】
0006346968.tif 000004
【図３Ｂ】
0006346968.tif 000005
【図４】
0006346968.tif 000006
【図５】
0006346968.tif 000007
【図６Ａ】
0006346968.tif 000008
【図６Ｂ】
0006346968.tif 000009
【図６Ｃ】
0006346968.tif 000010
【図６Ｄ】
0006346968.tif 000011
【図６Ｅ】
0006346968.tif 000012
【図７Ａ】
0006346968.tif 000013
【図７Ｂ】
0006346968.tif 000014
【図７Ｃ】
0006346968.tif 000015
【図７Ｄ】
0006346968.tif 000016
【図７Ｅ】
0006346968.tif 000017
【図７Ｆ】
0006346968.tif 000018
【図８Ａ】
0006346968.tif 000019
【図８Ｂ】
0006346968.tif 000020
【図８Ｃ】
0006346968.tif 000021
【図８Ｄ】
0006346968.tif 000022
【図８Ｅ】
0006346968.tif 000023